(57)【要約】      （修正有）【課題】簡単に折畳んで廃棄することができる折畳み式食品用エコ容器を提供する。【解決手段】両側に設けられる２つの側部薄片状部材１０と、下部に設けられる下部薄片状部材と、前部に設けられる前部厚片状部材３０、後部に設けられる後部厚片状部材４０と、上部に設けられる上部厚片状部材５０とから構成され、上部厚片状部材５０に開口を備える注ぎ口６０が設けられると共に、下部薄片状部材に下部補強部材が設けられ、該下部補強部材には、下部補強部材を折曲するための、左右方向へ伸びる下部切欠きが形成され、上部厚片状部材５０には、上部厚片状部材５０を折曲するための、左右方向へ伸びる上部切欠き５１が形成され、該下部切欠き及び上部切欠き５１は夫々、該下部補強部材及び上部厚片状部材５０の上面あるいは底面の何れか一方に形成されることを特徴とする。【選択図】図１
0003146510.tif 000002
【実用新案登録請求の範囲】
【請求項１】
両側に設けられる２つの側部薄片状部材と、下部に設けられる下部薄片状部材と、前部に設けられる前部厚片状部材、後部に設けられる後部厚片状部材と、上部に設けられる上部厚片状部材とから構成され、
前記上部厚片状部材に開口を有する注ぎ口が設けられると共に、前記下部薄片状部材に下部補強部材が設けられ、該下部補強部材には、下部補強部材を折曲するための、左右方向へ伸びる下部切欠きが形成され、該上部厚片状部材には、該上部厚片状部材を折曲するための、左右方向へ伸びる上部切欠きが形成され、該下部切欠き及び上部切欠きは夫々、該下部補強部材及び上部厚片状部材の上面あるいは底面の何れか一方に形成されることを特徴とする折畳み式食品用エコ容器。
【請求項２】
前記下部切欠きが下部補強部材の上面に位置すると共に、前記上部切欠きが上部厚片状部材の上面に位置することを特徴とする請求項１に記載の折畳みエコ包装容器。
【請求項３】
前記下部補強部材がＸ字形であることを特徴とする請求項１又は請求項２に記載の折畳み式食品用エコ容器。
【請求項４】
前記２つの側部薄片状部材に夫々１つ側部補強部材が設けられ、該側部補強部材に側部補強部材を折曲するための、上下方向へ伸びる側部切欠きが形成されることを特徴とする請求項１又は請求項２に記載の折畳み式食品用エコ容器。
【請求項５】
前記２つの側部薄片状部材に夫々１つ側部補強部材が設けられ、該側部補強部材に側部補強部材を折曲するための、上下方向へ伸びる側部切欠きが形成されることを特徴とする請求項３に記載の折畳み式食品用エコ容器。
【請求項６】
前記上部厚片状部材は円弧状を呈し、前記注ぎ口が上部厚片状部材における前部厚片状部材側の近傍に設けられ、該注ぎ口は、上部厚片状部材に設置される下段と、前記開口が形成される上段とを有し、該注ぎ口の下段に伸縮可能な蛇腹部が設けられ、該上段にねじ山部と、該ねじ山部に螺合されるキャップとが設けられることを特徴とする請求項４に記載の折畳み式食品用エコ容器。
【請求項７】
前記上部厚片状部材は円弧状を呈し、前記注ぎ口が上部厚片状部材における前部厚片状部材側の近傍に設けられ、該注ぎ口は、上部厚片状部材に設置される下段と、前記開口が形成される上段とを有し、該注ぎ口の下段に伸縮可能な蛇腹部が設けられ、該上段にねじ山部と、該ねじ山部に螺合されるキャップとが設けられることを特徴とする請求項５に記載の折畳み式食品用エコ容器。
【請求項８】
前記側部補強部材がＸ字形であることを特徴とする請求項７に記載の折畳み式エコ包装容器。
【考案の詳細な説明】
【技術分野】
【０００１】
本考案は、特に簡単に折り畳んで廃棄することができる折畳み式食品用エコ容器に関するものである。
【背景技術】
【０００２】
食品用容器は、従来より飲み物（例えばパック牛乳、お茶、ジュース）用包装容器として広く用いられてきたが、大量の廃棄物を生み出すだけでなく、少なくとも以下のような問題があった。
【考案の開示】
【考案が解決しようとする課題】
【０００３】
１．前記従来の食品用容器は通常、アルミ箔と、複数のパルプ層と、ポリエチレン膜とからなる。しかし、前記従来の食品用容器は、紙パックやプラスチック容器のように容易に分別できるものではないことから、紙廃棄物、プラスチック廃棄物及びアルミ廃棄物の何れにも属していないので、そのため、廃棄する時に、分別することができなかった。
【０００４】
２．前記従来の食品用容器は通常、長方体、または上部が屋根型を呈する略長方体に形成されるものが殆どであり、回収時には、体積を小さくするために、容器を潰さなければならなかった。しかしながら、長方体に形成された従来の食品用容器を潰す場合、上部分を引き剥がさなければならない。一方、上部が屋根型を呈する略長方体の容器を潰す場合には、まず両側及び底面を内側へ押し込まなくてはならないが、従来の食品用容器は、一定の厚さと硬さを有する複合材料からなるので、それを引き裂いたり潰したりするのはかなり大変な作業であった。故に、前記従来の容器を廃棄する時には、容器を潰さないまま廃棄する人が多かった。
【０００５】
そこで、案出されたのが本考案であって、単一の材料からなり、簡単に折畳むことができる折畳み式食品用エコ容器を提供することを目的としている。
【課題を解決するための手段】
【０００６】
本願の請求項１の考案は、両側に設けられる２つの側部薄片状部材と、下部に設けられる下部薄片状部材と、前部に設けられる前部厚片状部材、後部に設けられる後部厚片状部材と、上部に設けられる上部厚片状部材とから構成され、前記上部厚片状部材に開口を有する注ぎ口が設けられると共に、前記下部薄片状部材に下部補強部材が設けられ、該下部補強部材には、下部補強部材を折曲するための、左右方向へ伸びる下部切欠きが形成され、該上部厚片状部材には、該上部厚片状部材を折曲するための、左右方向へ伸びる上部切欠きが形成され、該下部切欠き及び上部切欠きは夫々、該下部補強部材及び上部厚片状部材の上面あるいは底面の何れか一方に形成されることを特徴とする折畳み式食品用エコ容器、を提供する。
【０００７】
本願の請求項２の考案は、前記下部切欠きが下部補強部材の上面に位置すると共に、前記上部切欠きが上部厚片状部材の上面に位置することを特徴とする請求項１に記載の折畳みエコ包装容器、を提供する。
【０００８】
本願の請求項３の考案は、前記下部補強部材がＸ字形であることを特徴とする請求項１又は請求項２に記載の折畳み式食品用エコ容器、を提供する。
【０００９】
本願の請求項４の考案は、前記２つの側部薄片状部材に夫々１つ側部補強部材が設けられ、該側部補強部材に側部補強部材を折曲するための、上下方向へ伸びる側部切欠きが形成されることを特徴とする請求項１又は請求項２に記載の折畳み式食品用エコ容器、を提供する。
【００１０】
本願の請求項５の考案は、前記２つの側部薄片状部材に夫々１つ側部補強部材が設けられ、該側部補強部材に側部補強部材を折曲するための、上下方向へ伸びる側部切欠きが形成されることを特徴とする請求項３に記載の折畳み式食品用エコ容器、を提供する。
【００１１】
本願の請求項６の考案は、前記上部厚片状部材は円弧状を呈し、前記注ぎ口が上部厚片状部材における前部厚片状部材側の近傍に設けられ、該注ぎ口は、上部厚片状部材に設置される下段と、前記開口が形成される上段とを有し、該注ぎ口の下段に伸縮可能な蛇腹部が設けられ、該上段にねじ山部と、該ねじ山部に螺合されるキャップとが設けられることを特徴とする請求項４に記載の折畳み式食品用エコ容器、を提供する。
【００１２】
本願の請求項７の考案は、前記上部厚片状部材は円弧状を呈し、前記注ぎ口が上部厚片状部材における前部厚片状部材側の近傍に設けられ、該注ぎ口は、上部厚片状部材に設置される下段と、前記開口が形成される上段とを有し、該注ぎ口の下段に伸縮可能な蛇腹部が設けられ、該上段にねじ山部と、該ねじ山部に螺合されるキャップとが設けられることを特徴とする請求項５に記載の折畳み式食品用エコ容器、を提供する。
【００１３】
本願の請求項８の考案は、前記側部補強部材がＸ字形であることを特徴とする請求項７に記載の折畳み式エコ包装容器、を提供する。
【考案の効果】
【００１４】
本考案は上記の課題を解決するものであり、上部厚片状部材及び下部薄片状部材に設けられた下部補強部材に夫々、該上部厚片状部材及び下部補強部材を折曲するための、上部切欠き及び下部切欠きが設けられていることから、下部補強部材を上方へ山折りし、該前部厚片状部材及び後部厚片状部材が互いに接近するように押し潰せば、容器を速やかに且つ容易に折畳むことができる。
【００１５】
また、本考案はプラスチックの単一材料からなるものであり、即ちプラスチック廃棄物として分別回収することができるので、三種類の材料による複合材料からなる従来の容器のような分別し難いといった問題はない。
【００１６】
また、前記技術手段によれば、前記側部薄片状部材が側部補強部材を支持しているので、大容量の容器としても使用可能である。
【００１７】
更に、前記注ぎ口の下段に蛇腹部が設けられることから、飲み物を該注ぎ口の開口部まで充填することができ、飲み物を飲用する時には、予め該蛇腹部を引き伸ばせば飲み物を注ぎ易くなる。その上、この設計によれば、なるべく大量の飲み物が容器に充填される。即ち、同じ容積を有する従来の容器と比べて、より多くの飲み物を充填できる。
【考案を実施するための最良の形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１は本考案に係る折畳み式食品用エコ容器の斜視透視図であり、図２は本考案に係る折畳み式食品用エコ容器の他の斜視透視図であり、図３は本考案に係る折畳み式食品用エコ容器における注ぎ口の部分拡大側面断面図であり、図４は本考案に係る折畳み式食品用エコ容器を折畳んだ状態を示す斜視図であり、図５は本考案に係る折畳み式食品用エコ容器の他の実施例の斜視透視図であり、図６は本考案に係る折畳み式食品用エコ容器の更に他の実施例の斜視透視図である。
【００２０】
図１及び図２に示すように、本考案に係る折畳み式食品用エコ容器は、中空のプラスチック製容器であり、両側に設けられる２つの側部薄片状部材（１０）と、下部に設けられる下部薄片状部材（２０）と、前部に設けられる前部厚片状部材（３０）と、後部に設けられる後部厚片状部材（４０）と、上部に設けられる上部厚片状部材（５０）とから構成される。
【００２１】
前記上部厚片状部材（５０）に開口を有する注ぎ口（６０）が設けられ、該注ぎ口（６０）に、該注ぎ口（６０）を密閉するためのキャップ（６５）が取り付けられ、また、前記前部厚片状部材（３０）、後部厚片状部材（４０）及び上部厚片状部材（５０）は硬質プラスチック製であると共に、前記側部薄片状部材（１０）及び下部薄片状部材（２０）は薄膜状を呈するものであり、該薄膜状を呈する側部薄片状部材（１０）及び下部薄片状部材（２０）を支えるために、本考案の実施例においては、該側部薄片状部材（１０）にＸ字形の側部補強部材（７０）が設けられると共に、該下部薄片状部材（２０）に、中央に左右方向へ伸びる下部切欠き（７５１）を有する下部補強部材（７５）が設けられ、前記上部厚片状部材（５０）に左右方向へ伸びる上部切欠き（５１）が形成される。更に、本実施例において、前記下部切欠き（７５１）は、下部補強部材（７５）の上面に形成されると共に、前記上部切欠き（５１）は、上部厚片状部材（５０）の上面に形成されるが、該下部切欠き（７５１）を下部補強部材（７５）の下面に形成させると共に、前記上部切欠き（５１）を上部厚片状部材（５０）の下面に形成させてもよい。  
また、前記２つの側部薄片状部材（１０）には夫々１つの側部補強部材（７０）が設けられ、該側部補強部材（７０）に上下方向へ伸びる側部切欠き（７１）が形成される。
【００２２】
図４に示すように、この構成によれば、本考案を折畳む時、単に注ぎ口（６０）のキャップ（６５）を外し、両側の側部薄片状部材（１０）及び側部補強部材（７０）を共に内部へ折り曲げ、それと同時に、下部薄片状部材（２０）及び下部補強部材（７５）を共に上方へ折り曲げて、上部厚片状部材（５０）を上方へ山折りにするだけで、簡単に本考案に係る折畳み式食品用エコ容器を折畳むことができる。
【００２３】
図１及び図３に示すように、本考案の実施例においては、上部厚片状部材（５０）を円弧状とし、前記注ぎ口（６０）を前記上部厚片状部材（５０）の最高点よりやや低い箇所に位置させることにより、液体を注ぎ易く、且つなるべく大量の飲み物を容器に充填できるようにしている。  
また、前記注ぎ口（６０）は、前記上部厚片状部材（５０）に設置される、伸縮可能な蛇腹部（６１）を有する下段と、内側に開口（符号なし）が形成されると共に、外周にねじ山部（６２）が設けられ、そのねじ山部（６２）に螺合されるキャップ（６５）を含む上段とを備えるものである。このような構造であるから、本考案の容器には、前記注ぎ口（６０）の開口まで液体を充填できる。また、液体を飲用する時には、前記蛇腹部を上方へ引き伸ばし、液面を前記開口より低くすれば、容易に且つ零さずに注ぐことができる。
【００２４】
図１乃至図４に示すように、本考案は大容量の容器として使用してもよいが、小容量の容器として使用しても構わない。また、図５及び図６に示すように、本考案における小容量容器は、両側に設けられる２つの側部薄片状部材（１０Ａ）と、下部に設けられえる下部薄片状部材（２０Ａ）と、前部に設けられる前部厚片状部材（３０Ａ）と、後部に設けられる後部厚片状部材（４０Ａ）と、上部に設けられる上部厚片状部材（５０Ａ）とから構成される。  
前記上部厚片状部材（５０Ａ）に開口（符号なし）を備える注ぎ口（８０）が設けられ、該上部厚片状部材（５０Ａ）に左右方向へ伸びる上部切欠き（５１Ａ）が設けられる。尚、本実施形態は容積が小さいので、前記下部薄片状部材（２０Ａ）にＸ字形の下部補強部材（７５Ａ）を設けると共に、該下部補強部材（７５Ａ）に、下部補強部材（７５Ａ）を折曲するための下部切欠き（符号なし）が設けられる。
【産業上の利用可能性】
【００２５】
本考案は上記の構成を有するので、上部厚片状部材及び下部薄片状部材に設けられた下部補強部材には夫々、該上部厚片状部材及び下部補強部材を折曲するための、上部切欠き及び下部切欠きが設けられていることから、該下部補強部材を上方へ山折りし、該前部厚片状部材及び後部厚片状部材を互いに内側へ接近させるように押し込めば、簡単に折畳んで廃棄することができる。
【図面の簡単な説明】
【００２６】
【図１】本考案に係る折畳み式食品用エコ容器の斜視透視図である。
【図２】本考案に係る折畳み式食品用エコ容器の他の斜視透視図である。
【図３】考案に係る折畳み式食品用エコ容器における注ぎ口の部分拡大側面断面図である。
【図４】本考案に係る折畳み式食品用エコ容器を折畳んだ状態を示す斜視図である。
【図５】本考案に係る折畳み式食品用エコ容器の他の実施例の斜視透視図である。
【図６】本考案に係る折畳み式食品用エコ容器の更に他の実施例の斜視透視図である。
【符号の説明】
【００２７】
１０      側部薄片状部材
１０Ａ    側部薄片状部材
２０      下部薄片状部材
２０Ａ    下部薄片状部材
３０      前部厚片状部材
３０Ａ    前部厚片状部材
４０      後部厚片状部材
４０Ａ    後部厚片状部材
５０      上部厚片状部材
５０Ａ    上部厚片状部材
５１      上部切欠き
５１Ａ    上部切欠き
６０      注ぎ口
６１      蛇腹部
６２      ねじ山部
６５      キャップ
７０      側部補強部材
７１      側部切欠き
７５      下部補強部材
７５１    下部切欠き
７５Ａ    下部補強部材
８０      注ぎ口
【図１】
0003146510.tif 000003
【図２】
0003146510.tif 000004
【図３】
0003146510.tif 000005
【図４】
0003146510.tif 000006
【図５】
0003146510.tif 000007
【図６】
0003146510.tif 000008